(57)【特許請求の範囲】
【請求項１】
内容物を吐出するノズルと、
中空管の形態を持ち、一側端に前記ノズルが出没するノズル孔が形成され、他側端に挿入孔が形成され、前記挿入孔側の外壁面に一対の係止突起が互いに対向側に形成されている円錐部と、
前記円錐部が挿入されるように一側端に挿入孔が形成され、他側端は底部をなす単一体のキャップを有し、前記底部の中央から内部を貫いて外部に突出するように貫通型固定管が形成され、前記係止突起が拘束されて移動するように、これに対応する位置にガイドホールが形成されているボディーと、
前記内容物が充填されており、前記貫通型固定管の他側の螺糸山と結合するように、前記内容物が吐き出される注入部にスクリューが形成されたチューブと、
前記ボディーから前進又は後進する前記円錐部の前記ノズル孔を気密に開閉するように、前記ボディーと前記円錐部との間に介在されている乾燥防止装置部とを備え、
前記キャップの側面に形成されている一対の前記ガイドホールは、
前記係止突起がスプリングの弾性によって係り、前記キャップの挿入孔側の前記ガイドホールの端部でなる係止部と、
前記係止部から垂直下向きに形成される前記ガイドホールから下向きに傾斜角を持つように形成された傾斜部と、
前記係止突起が前記スプリングの弾性によって係り、前記傾斜部から垂直下向きに延びてから水平に延びて、そして垂直上向きに延びる前記ガイドホールの終端部である端部と、
前記傾斜部から垂直下向きに延びてから水平に延びて、そして垂直上向きに延びる前記ガイドホールによって形成される自由端である突起部とを備えて構成されることを特徴とするチューブ容器の自動密閉構造型蓋体。
【請求項２】
前記ガイドホールに係る前記係止突起によって固定されている前記円錐部が、前記係止突起の移動によって前記ボディー内部に挿入されることにより、前記乾燥防止装置部によって前記ノズル孔は開放され、この状態で突出した前記ノズルから前記内容物を吐き出すことができることを特徴とする請求項１に記載のチューブ容器の自動密閉構造型蓋体。
【請求項３】
前記貫通型固定管の一側端の外面と前記ノズルの一側端の内面とには固定リングが付着されることで、これらが互いに堅固に固定されていることを特徴とする請求項１に記載のチューブ容器の自動密閉構造型蓋体。
【請求項４】
前記チューブは、前記貫通型固定管の内部に挿入されて、前記注入部から吐き出される前記内容物を前記ノズルに伝達するように、前記注入部から伸びるように付着されているストローをさらに備えて構成されることを特徴とする請求項１に記載のチューブ容器の自動密閉構造型蓋体。
【請求項５】
前記ノズルは、前記内容物が吐き出されるように、一側曲面の中央に一直線状の切開部が形成され、弾性材の前記ノズルの復元力によって、前記内容物の吐出後、前記切開部が再び閉鎖されることを特徴とする請求項１に記載のチューブ容器の自動密閉構造型蓋体。
【発明の詳細な説明】
【技術分野】
【０００１】
本発明はチューブ容器の自動密閉構造型キャップに関し、より詳しくはチューブ容器から押し出される液状の内容物が吐出口のシャッター開放時にだけ吐き出されるようにするチューブ容器の自動密閉構造型蓋体に関する。
【背景技術】
【０００２】
液体医薬容器は、内容物の変質を防止するために、内容物だけでなく吐出口の外部からの遮断性及び密閉性も重要な要素である。
【０００３】
しかし、軟膏などのような一般的なチューブ形の医薬品容器では、このような密閉性がかなり落ちるだけでなく、蓋と容器とが分離されているため、容器に相当する（嵌る）蓋が紛失される場合、容器の内容物を密閉する手段がなく、それ以降保存する方法がなくなる。
【０００４】
したがって図１に示すように、特許文献１の「医薬品注入システム及び方法」においては、ハウジングが薬品を収容するアンプルチャンバーを有するノズルアセンブリーを含み、軸方向に移動することにより内部の医薬品がノズルアセンブリーから注入されるようにしている。しかし、これは手動開閉方式であるだけでなく、吐出口を加圧する構成がなく、薬品に対する密閉性が落ちるという欠点がある。
【０００５】
また、図２に示すように、特許文献２の「キャップの左右回転によって開閉される点眼液容器」において、キャップを回転させれば吐出口が開閉され、蓋に結合されたキャップの離脱や開閉なしに、キャップの回転によって吐出口を開閉できるようにしているが、これも継続的なキャップの回転によって開閉されるという点で手動的な開閉に近い構成である。
【先行技術文献】
【特許文献】
【０００６】
【特許文献１】米国特許第５，９１９，１５９号の明細書
【特許文献２】韓国特許第１０−２００９−０１１２３７２号公報
【発明の概要】
【発明が解決しようとする課題】
【０００７】
したがって、本発明は上記の問題点を解決するためになされたもので、その目的は乾燥防止装置によって薬品が吐き出されるノズルが非接触式で出没するチューブ容器の自動密閉構造型キャップを提供することである。
【課題を解決するための手段】
【０００８】
上記のような本発明の目的は、内容物を吐出するノズルと、中空管の形態を持ち、一側端に前記ノズルが出没するノズル孔が形成され、他側端に挿入孔が形成され、前記挿入孔側の外壁面に一対の係止突起が互いに対向側に形成されている円錐部と、前記円錐部が挿入されるように一側端に挿入孔が形成され、他側端は底部をなす単一体のキャップを有し、前記底部の中央から内部を貫いて外部に突出するように貫通型固定管が形成され、前記係止突起が拘束されて移動するように、これに対応する位置にガイドホールが形成されているボディーと、前記内容物が充填されており、前記貫通型固定管の他側の螺糸山と結合するように、前記内容物が吐き出される注入部にスクリューが形成されたチューブと、前記ボディーから前進又は後進する前記円錐部の前記ノズル孔を気密に開閉するように、前記ボディーと前記円錐部との間に介在されている乾燥防止装置部とを備え、前記キャップの側面に形成されている一対の前記ガイドホールは、前記係止突起がスプリングの弾性によって係り、前記キャップの挿入孔側の前記ガイドホールの端部でなる係止部と、前記係止部から垂直下向きに形成される前記ガイドホールから下向きに傾斜角を持つように形成された傾斜部と、前記係止突起が前記スプリングの弾性によって係り、前記傾斜部から垂直下向きに延びてから水平に延びて、そして垂直上向きに延びる前記ガイドホールの終端部である端部と、前記傾斜部から垂直下向きに延びてから水平に延びて、そして垂直上向きに延びる前記ガイドホールによって形成される自由端である突起部とを備えて構成されることを特徴とするチューブ容器の自動密閉構造型蓋体によって達成される。
【０００９】
また、本発明によれば、ガイドホールに係る係止突起によって固定されている円錐部が、係止突起の移動によってボディー内部に挿入されることにより、乾燥防止装置部によってノズル孔は開放され、この状態で突出した前記ノズルから前記内容物を吐き出すことができることを特徴とする。
【００１０】
また、本発明によれば、貫通型固定管の一側端の外面とノズルの一側端の内面とには固定リングが付着されることで、これらが互いに堅固に固定されていることを特徴とする。
【００１２】
また、本発明によれば、チューブは、貫通型固定管の内部に挿入されて、注入部から吐き出される内容物をノズルに伝達するように、注入部から伸びるように付着されているストローをさらに備えて構成されることを特徴とする。
【００１３】
また、本発明によれば、ノズルは、内容物が吐き出されるように、一側曲面の中央に一直線状の切開部が形成され、弾性材のノズルの復元力によって、内容物の吐出後、切開部が再び閉鎖されることを特徴とする。
【００１４】
また、本発明によれば、ノズルの曲面上に切開部の両側に押し突起がそれぞれ形成され、ノズルが乾燥防止装置部の内部に収容されている状態でホルダーの内壁面によって両側の押し突起が押されて切開部をさらに水密に閉鎖させることを特徴とする。
【発明の効果】
【００１５】
したがって、上記の課題解決手段による本発明のチューブ容器の自動密閉構造型蓋体は、気密維持の機能を高め、ノズルでの液状成分の乾燥現象を予め防止することができるとともに物理的にノズルを安全に保護することができる。
【００１６】
また、ゲル状の医薬成分が外部に露出されることを最大限に防止することで、薬品成分の保存力を高め、蓋と容器とが一体的に付着されているので、（蓋と容器との）分離による紛失の危険がなくなる。
【図面の簡単な説明】
【００１７】
【図１】従来技術の医薬品注入のための方法及びシステムの断面図である。
【図２】従来技術の点眼液容器の分解斜視図である。
【図３】本発明の実施例によるチューブ容器の自動密閉構造型蓋体の全体分解斜視図である。
【図４】図３の円錐部の斜視図である。
【図５】図３のボディーの断面図である。
【図６】図５のボディーの側面図である。
【図７】図３のチューブの平面図である。
【図８】図３のノズルの平面図及び断面図である。
【図９】図３のノズルの平面図及び断面図である。
【図１０】図３の閉鎖状態の組立図及び断面図である。
【図１１】図３の閉鎖状態の組立図及び断面図である。
【図１２】図３の開放状態の組立図及び断面図である。
【図１３】図３の開放状態の組立図及び断面図である。
【発明を実施するための形態】
【００１８】
以下、本発明の実施例によるチューブ容器の自動密閉構造型蓋体を添付図面に基づいてより詳細に説明する。
【００１９】
図３は本発明の実施例によるチューブ容器の自動密閉構造型蓋体の全体分解斜視図である。図４は図３の円錐部の斜視図である。
【００２０】
また、図５は図３のボディーの断面図である。図６は図５のボディーの側面図である。
【００２１】
また、図７は図３のチューブの平面図である。図８及び図９は、図３のノズルの平面図及び断面図である。
【００２２】
また、図１０及び図１１は図３の閉鎖状態の組立図及び断面図である。図１２及び図１３は開放状態の組立図及び断面図である。
【００２３】
図３に示すように、本発明のチューブ容器の自動密閉構造型蓋体は、円錐部１００と、ボディー２００と、ノズル３００と、吐出口の開閉のための乾燥防止装置部とで構成される。
【００２４】
乾燥防止装置部は、スプリング５０と、パッキング６０、６１と、ホルダー７０と、リンク８０と、ボール型ドア９０と、これらの間に介在されるパッキングとで構成される。これは本出願人によって出願されて登録された韓国特許登録第１０−０８１７２０２号の「乾燥防止装置を備えた出没式筆記具」において、軸のノズル孔を気密に開閉するための装置を指し、その詳細な構成及びメカニズムの説明は省略する。
【００２５】
以下、乾燥防止装置は、ボディー２００の内部に収容され、円錐部１００に作用する弾性力を用いて元の位置に復元させるように結合されたスプリング５０と、円錐部１００の内部に装着されて気密にスライド可能に結合されたパッキング６０と、このパッキング６０の内側に軸方向に一側端部位が挿入されている状態で円錐部１００の内部に装着されるホルダー７０と、このホルダー７０の内部にスライド可能に結合されたリンク８０と、このリンク８０の平行ピンがピンスリットに結合され、リンク８０のスライド直線往復移動に対応して限定された回転角だけ回転するように、円錐部１００の内部に装着されたボール型ドア９０とから構成されて開閉作動に関与する装置である。
【００２６】
すなわち本発明の乾燥防止装置部によって、使用者は、本発明の円錐部１００の側面を二つの指を用いてピンチグラブ方式で掴んだ後、チューブ４００の方向に押すとき、円錐部１００に連動するボール型ドア９０が開放方向に「＋」（プラス）回転角９０度だけ回転しながら貫通通路をノズル３００の軸方向に一致させるとともに、円錐部１００のノズル孔１１を開放させる。
【００２７】
その後、ノズル３００はボール型ドア９０の貫通通路を通じてノズル孔１１の外部に突出することで使用可能な状態となる。
【００２８】
これとは反対に、リターン動作のために（閉鎖状態にするために）使用者が円錐部１００を掴んだ後、ガイドスリットの方向（ガイドホール２２０に沿った方向）に軽く回せば、円錐部１００の係止突起１０１がガイドホール２２０の係止段から離脱し、内装スプリング５０の弾性反発作用によってボール型ドア９０は閉鎖方向に「−」（マイナス）回転角９０度だけ回転しながら貫通通路をノズル３００の軸方向に垂直な方向に回転させるとともに、円錐部１００のノズル孔１１を閉鎖させ、ボール型ドア９０はノズル孔１１に密着しているパッキング６１と接した状態となり、突出したノズル３００が元の位置、つまり円錐部１００の内部に没入することになる。
【００２９】
この際、ノズル３００の突出方向を前進方向とし、その反対方向を後進方向とする。
【００３０】
また、円錐部１００のノズル３００の孔方向を前方とし、その反対方向を後方とする。
【００３１】
図３及び図４に示すように、円錐部１００は中空管またはチューブの形状を持つ。
【００３２】
円錐部１００はプラスチック素材から射出成形されるかモールド成形方式で製作可能であり、プラスチック素材の場合、円錐部１００はプラスチック素材の一般的な特性、つまり弾性、可撓性、伸縮性のいずれか一つを持つ。
【００３３】
円錐部１００は、その一側端にノズル孔１１が形成されており、他側端に下記の構成要素が挿合できる程度の内径を持つ挿入孔１４（図４）が形成されている。
【００３４】
円錐部１００はボディー２００の挿入孔（２０２）を通じて結合された後、使用者が前述したような出没メカニズムによってノズル３００を円錐部１００のノズル孔１１に対して突出または没入させるように、軸心方向に沿って限定されたストローク範囲内で（円錐部１００を）往復移動させることができ、ストロークの両端で一時停止動作を行うことができる。
【００３５】
このために、円錐部１００では一対の係止突起１０１が側面に互いに対向側に形成されている。
【００３６】
係止突起１０１は、円錐部１００が前進又は後進の直線移動を行いながらボディー２００のガイドホール２２０（図６）に係るように円錐部１００の外表面に形成されている突起である。
【００３７】
係止突起１０１は、後に具体的に説明するように、ガイドホール２２０に沿って移動することになり、これがすなわち円錐部１００の移動距離及び方向となる。
【００３８】
図５及び図６に示すように、ボディー２００はキャップ２１０とキャップの内部中央に位置する固定管２３０とから構成される。
【００３９】
キャップ２１０は、円錐部１００をその内部に収容し、円錐部１００がキャップ２１０の内部でキャップ２１０の長手方向に移動するように、円錐部１００の外壁とボディー２００の内壁が互いに密着することができる直径を持つ。
【００４０】
キャップ２１０では、係止突起１０１に対応する対向位置にガイドホール２２０が形成されていることで、係止突起１０１がガイドホール２２０に拘束された状態でガイドホール２２０に沿って移動可能である。
【００４１】
ガイドホール２２０は、キャップ２１０の挿入孔（２０２）側の係止部２２１から垂直下向きに形成されてから、所定角度を持つ傾斜部２２４、及び傾斜部２２４から垂直下向きに延び、そして水平に延びてから垂直上向きの端部２２２まで形成されている。
【００４２】
この際、傾斜部２２４から端部２２２の間に形成されているガイドホール２２０によって、テンションを持つ（係止突起１０１にテンションを与える）自由端形態の突起部２２３が形成されている。
【００４３】
突起部２２３は、後述する係止突起１０１が係止部２２１から垂直下向きに移動するとき、傾斜部２２４を通さなくて直ちに（係止部２２１から直に）突起部２２３のテンションを受けた後、水平部（突起部２２３の水平の部分）にかけるような役目をする。
【００４４】
キャップ２１０の一方の側は挿入孔（２０２）によって開口され、他方の側は閉鎖され、その中央からキャップ２１０の内側に固定管２３０が連結されている。
【００４５】
固定管２３０は貫通型管で、後述するチューブ４００とノズル３００とを両端にそれぞれ固定させる役目をして、チューブ４００からの内容物の移動管となる。
【００４６】
固定管２３０の一方の側はノズル３００に堅固に固定されて水密に連結されるように、その外面に固定リング２３１が形成されている。
【００４７】
また、固定管２３０の他方の側は後述するチューブ固定用スクリュー４０３（図７）に堅固に固定されて水密に連結されるように、その内面に螺糸山２３２が形成されている。
【００４８】
チューブ４００は、内容物が充填されている胴体４０４と、胴体４０４の注入口４０２に連結されるストロー４０１とからなる。
【００４９】
胴体４０４は、一般的な軟膏などのチューブのように内容物を圧搾して排出するような金属あるいは軟質のゴム材などで形成される。
【００５０】
胴体４０４の注入口４０２の外面はスクリュー４０３が形成されて、ボディー２００の螺糸山２３２と結合される。
【００５１】
ストロー４０１は、固定管２３０の内面に密着するような管径を持つ。
【００５２】
図８及び図９に示すように、ノズル３００は固定管２３０の一側端の固定リング２３１と結合する最終端に位置し、ストロー４０１から伝達される内容物が切開部３０２の広開（開口）によって吐き出されるように弾性材で構成される。
【００５３】
このために、ノズル３００は、固定リング２３１と結合するように、その他側端部の内面にノズル固定リング２３１の形態に対応する固定リング３０３が形成されている。
【００５４】
ノズル３００の一側端部は曲面をなして閉鎖され、中央が一字形に切開された切開部３０２が形成されており、切開部３０２を通じて内容物が出るようにする。
【００５５】
ノズル３００の一側端部の曲面は切開部３０２を中心として両側面に押し突起３０１が形成されている。
【００５６】
押し突起３０１は閉鎖状態で乾燥防止装置部のリンク内８０に収容されているとともに、リンク８０の内壁面の圧力を受ける程度に突出しているので、両側の押し突起３０１から圧力を受ける曲面は拡開した切開部３０２をさらに狭めて水密にすることになる。
【００５７】
図１０及び図１１は本発明によるチューブ容器の自動密閉構造型蓋体の閉鎖状態に対する平面図と各平面図に対する断面図を示している。
【００５８】
同図に示すように、円錐部１００の係止突起１０１がボディー２００の係止部２２１に係った状態で円錐部１００の端部がボディー２００の挿入孔（２０２）に挿入されており、その内部にボディー２００の底部である他側端から円錐部１００の挿入孔（ノズル孔）１１まで、スプリング５０、パッキング６０、ホルダー７０、リンク８０（図３）、ボール型ドア９０、及びパッキング６１が順に位置することになる。
【００５９】
すなわち、底状態（閉鎖状態）でボディー２００の他側端の底部がスプリング５０の端部と接触し、円錐部１００の挿入孔１１がボール型ドア９０と接しているパッキング６１と密着した状態となる。
【００６０】
また、ボディー２００の固定管２３０の内部にストロー４０１が挿入された状態で、螺糸山２３２とチューブのスクリュー４０３がかみ合い、ノズル３００の固定リング３０３が固定管２３０の固定リング２３１と結合して固定される。
【００６１】
この際、スプリング５０はボディー２００の底部とパッキング６０との間で弾性力を持つように介在されており、円錐部１００がボディー２００内部に挿入するほど強い弾性力が発生することになる。
【００６２】
したがって、乾燥防止装置部のボール型ドア９０はスプリング５０から伝達される弾性力によってノズル孔１１を閉鎖させ、係止突起１０１も係止部２２１の端部に係止される。
【００６３】
このような状態で、図１２及び図１３の平面図及び断面図に示すように、円錐部１００をボディー２００の内側に挿入させれば（あるいは円錐部１００を固定させるとともにボディー２００を円錐部１００の方向に前進させれば）、円錐部１００の係止突起１０１はガイドホール２２０の形態に沿って直線移動し、突起部２２３を越えて水平部に係ることになる。
【００６４】
このような係止突起１０１の移動につれて、乾燥防止装置部のメカニズムによってボール型ドア９０が９０度回転してノズル孔１１を完全に開放させ、ボディー２００の固定管２３０に連結されているノズル３００はノズル孔１１の外に突出することになる。
【００６５】
係止突起１０１は水平部にかかって固定されているので、キャップ２１０またはボディー２００の移動はなく、ノズル３００のみがノズル孔１１の外に露出した状態でチューブを絞れば、チューブの内容物がストローに沿って移動してノズル３００の切開部３０２を開放させながら吐き出される。
【００６６】
この際、スプリング５０は収縮して弾性力が最大となる。
【００６７】
したがって、スプリング５０の弾性力が最大となった状態でガイドスリットの方向に少し回せば、水平部にかかっている係止突起１０１がガイドホール２２０に沿って垂直下向きに移動した後、水平に移動すれば、弾性力によって自動で垂直上向きに移動してから係止部２２１にかかることになり、係止突起１０１の移動につれて、乾燥防止装置部のメカニズムによってボール型ドア９０が９０度回転してノズル孔１１を閉鎖させることになる。
【００６８】
また、ボディー２００の固定管２３０と連結されているノズル３００はノズル孔１１の内部に没入して乾燥防止装置部の内部に位置する図１０または図１１の状態に戻り、ノズル３００の両側押し突起３０１はホルダー７０の内壁面から圧力を受けて切開部３０２を一層閉鎖させることになる。
【産業上の利用可能性】
【００６９】
本発明は、チューブ容器から押し出される液状の内容物が吐出口のシャッター開放時にだけ吐き出されるチューブ容器の自動密閉構造型蓋体に適用可能である。
【符号の説明】
【００７０】
５０    スプリング
６０    パッキング
７０    ホルダー
８０    リンク
９０    ボール型ドア
１００    円錐部
１０１    係止突起
２００    ボディー
２１０    キャップ
２２０    ガイドホール
２２１    係止部
２２２    端部
２２３    突起部
２２４    傾斜部
２３０    固定管
２３１    固定リング
２３２    螺糸山
３００    ノズル
３０１    押し突起
３０２    切開部
３０３    固定リング
４００    チューブ
４０１    ストロー
４０２    注入口
４０３    スクリュー
４０４    胴体
【図１】
0005239027.tif 000002
【図２】
0005239027.tif 000003
【図３】
0005239027.tif 000004
【図４】
0005239027.tif 000005
【図５】
0005239027.tif 000006
【図６】
0005239027.tif 000007
【図７】
0005239027.tif 000008
【図８】
0005239027.tif 000009
【図９】
0005239027.tif 000010
【図１０】
0005239027.tif 000011
【図１１】
0005239027.tif 000012
【図１２】
0005239027.tif 000013
【図１３】
0005239027.tif 000014